(57)【要約】【課題】本を読む動作と同様の動作で閲覧が可能な電子機器を提供する。または、新規な電子機器を提供する。【解決手段】第１乃至第ｎの表示パネル（ｎは４以上の自然数）と、軸と、を有し、第１乃至第ｎの表示パネルは、可撓性を有し、第１乃至第ｎの表示パネルは、第１の面と、第１の面と対向する第２の面を有し、第１の表示部は、第１の面に設けられ、第２の表示部は、第２の面に設けられ、軸は、動作回路を有し、第１乃至第ｎの表示パネルは、動作回路と電気的に接続され、軸の延伸方向と直交する面による断面視において、第１の表示パネルが軸から突出する部分と軸の中心とを結んだ直線と、第１の表示パネルに最も近い第２の表示パネルが軸から突出する部分と軸の中心とを結んだ直線と、のなす角が（３６０／ｎ）°となるように軸に固定される、電子機器とする。【選択図】図１
2017223946.tif 000002
【特許請求の範囲】
【請求項１】
第１乃至第ｎの表示パネルと、軸と、を有し、
ｎは４以上の自然数であり、
前記第１乃至第ｎの表示パネルは、可撓性を有し、
前記第１乃至第ｎの表示パネルは、第１の面と、前記第１の面と対向する第２の面を有し、
第１の表示部は、前記第１の面に設けられ、
第２の表示部は、前記第２の面に設けられ、
前記軸は、動作回路を有し、
前記第１乃至第ｎの表示パネルは、前記動作回路と電気的に接続され、
前記軸の延伸方向と直交する面による断面視において、前記第１の表示パネルが前記軸から突出する部分と前記軸の中心とを結んだ直線と、前記第１の表示パネルに最も近い前記第２の表示パネルが前記軸から突出する部分と前記軸の中心とを結んだ直線と、のなす角が（３６０／ｎ）−５）°以上（（３６０／ｎ）＋５）°以下となるように前記軸に固定される、
電子機器。
【請求項２】
請求項１において、
筐体と、ローラと、モータと、を有し、
前記軸は、前記筐体に対して回転可能に固定され、
前記ローラは、前記筐体の内部の、前記第１乃至第ｎの表示パネルより下部に設けられ、
前記ローラは、前記第１の表示パネルを前記軸に対して反対側へ送る機能を有し、
前記モータは、前記ローラの回転軸と接続される、
電子機器。
【請求項３】
請求項２において、
前記ローラは、前記軸と重なる位置に設けられる、
電子機器。
【請求項４】
請求項１乃至３において、
バッテリを有し、
前記バッテリは、前記軸の内部に設けられる、
電子機器。
【請求項５】
請求項２乃至３において、
バッテリを有し、
前記バッテリは、前記筐体の底面上に設けられる、
電子機器。
【請求項６】
請求項２乃至５において、
近接センサを有し、
前記近接センサは、前記モータと電気的に接続され、
前記近接センサは、物体の近接を検出する機能を有し、
前記近接センサは、検出媒体が直流磁界、交流磁界、電界、電磁波、光または超音波である、
電子機器。
【請求項７】
請求項６において、
前記近接センサは、第１のセンサ部分を有し、
前記第１のセンサ部分は、前記軸の延伸方向と直交する面による断面視において、前記軸の中心および前記ローラの頂部と一直線上に並ぶように設けられる、
電子機器。
【請求項８】
請求項６において、
前記近接センサは、第１のセンサ部分および第２のセンサ部分を有し、
前記第１のセンサ部分および前記第２のセンサ部分は、前記ローラが前記第１の表示パネルを送る方向に平行な方向に並べて設けられる、
電子機器。
【請求項９】
請求項７または請求項８に記載の電子機器の駆動方法であって、
前記モータは、前記第１のセンサ部分が前記第１の表示パネルの近接を検出する間は前記ローラを回転させ続ける、
電子機器の駆動方法。
【請求項１０】
請求項９に記載の電子機器の駆動方法であって、
前記モータは、少なくとも前記第１のセンサ部分または前記第２のセンサ部分のいずれか一方が前記第１の表示パネルの近接を検出する間は前記ローラを回転させ続ける、
電子機器の駆動方法。
【発明の詳細な説明】
【技術分野】
【０００１】
本発明の一態様は、電子機器に関する。または、本発明の一態様は、電子機器の駆動方法に関する。または、本発明の一態様は、表示装置に関する。
【０００２】
なお、本発明の一態様は、上記の技術分野に限定されない。本明細書等で開示する発明の一態様の技術分野は、物、方法、または、製造方法に関するものである。または、本発明の一態様は、プロセス、マシン、マニュファクチャ、または、組成物（コンポジション・オブ・マター）に関するものである。そのため、より具体的に本明細書で開示する本発明の一態様の技術分野としては、半導体装置、表示装置、発光装置、蓄電装置、記憶装置、それらの駆動方法、または、それらの製造方法、またはそれらを適用した電子機器、を一例として挙げることができる。
【背景技術】
【０００３】
可撓性を有する表示装置（フレキシブルディスプレイともいう）の開発が進められている。フレキシブルディスプレイとしては、例えば表示素子として有機ＥＬ素子を用いたフレキシブルディスプレイが知られている（特許文献１）。フレキシブルディスプレイは、軽量で可搬性に優れる等の特徴を備え、スマートフォンやタブレット端末の次代を担う表示装置としてその開発が期待されている。
【０００４】
また、フレキシブルディスプレイが紙のように薄いことを利用して、フレキシブルディスプレイに文字や絵などを表示させて閲覧する際に、本を読む動作と感覚的に近い操作を行える技術が知られている。例えば、特許文献２には、表示部に曲げセンサを内蔵し、表示部の曲げ量に応じた速度で表示をスクロールさせる情報表示端末装置が開示されている。
【先行技術文献】
【特許文献】
【０００５】
【特許文献１】特開２０１４−１９７５２２号公報
【特許文献２】米国特許出願公開第２００９／０２１９２４７号明細書
【発明の概要】
【発明が解決しようとする課題】
【０００６】
しかしながら、特許文献２に開示されている技術ではページをめくる操作が本を読む動作に近いものの、フレキシブルディスプレイの端部（一部）を持ち上げる動作にとどまっており、読書において次のページを読むためにページをめくり切る動作は再現されていない。また、特許文献２に開示されている情報表示端末装置は表示部が１つしかなく、本のようにページの裏にも絵や文章が記載されている状況を再現できない。
【０００７】
本発明の一態様は、本を読む動作と同様の動作で閲覧が可能な電子機器を提供することを課題の一とする。または、新規な電子機器を提供することを課題の一とする。
【０００８】
なお、これらの課題の記載は、他の課題の存在を妨げるものではない。なお、本発明の一態様は、これらの課題の全てを解決する必要はないものとする。なお、これら以外の課題は、明細書、図面、請求項などの記載から、自ずと明らかとなるものであり、明細書、図面、請求項などの記載から、これら以外の課題を抽出することが可能である。
【課題を解決するための手段】
【０００９】
本発明の一態様は、第１乃至第ｎの表示パネル（ｎは４以上の自然数）と、軸と、を有し、第１乃至第ｎの表示パネルは、可撓性を有し、第１乃至第ｎの表示パネルは、第１の面と、第１の面と対向する第２の面を有し、第１の表示部は、第１の面に設けられ、第２の表示部は、第２の面に設けられ、軸は、動作回路を有し、第１乃至第ｎの表示パネルは、動作回路と電気的に接続され、軸の延伸方向と直交する面による断面視において、第１の表示パネルが軸から突出する部分と軸の中心とを結んだ直線と、第１の表示パネルに最も近い第２の表示パネルが軸から突出する部分と軸の中心とを結んだ直線と、のなす角が（３６０／ｎ）−５）°以上（（３６０／ｎ）＋５）°以下となるように軸に固定される、電子機器である。
【００１０】
また、筐体と、ローラと、モータと、を有し、軸は、筐体に対して回転可能に固定され、ローラは、筐体の内部の、第１乃至第ｎの表示パネルより下部に設けられ、ローラは、第１の表示パネルを軸に対して反対側へ送る機能を有し、モータは、ローラの回転軸と接続される上記の電子機器も、本発明の一態様である。
【００１１】
また、ローラは、軸と重なる位置に設けられる上記の電子機器も、本発明の一態様である。
【００１２】
また、バッテリを有し、バッテリは、軸の内部に設けられる上記の電子機器も、本発明の一態様である。
【００１３】
また、バッテリを有し、バッテリは、筐体の底面上に設けられる上記の電子機器も、本発明の一態様である。
【００１４】
また、近接センサを有し、近接センサは、モータと電気的に接続され、近接センサは、物体の近接を検出する機能を有し、近接センサは、検出媒体が直流磁界、交流磁界、電界、電磁波、光または超音波である上記の電子機器も、本発明の一態様である。
【００１５】
また、近接センサは、第１のセンサ部分を有し、第１のセンサ部分は、軸の延伸方向と直交する面による断面視において、軸の中心および前記ローラの頂部と一直線上に並ぶように設けられる上記の電子機器も、本発明の一態様である。
【００１６】
また、近接センサは、第１のセンサ部分および第２のセンサ部分を有し、第１のセンサ部分および第２のセンサ部分は、ローラが第１の表示パネルを送る方向に平行な方向に並べて設けられる上記の電子機器も、本発明の一態様である。
【００１７】
また、本発明の一態様は、上記の電子機器の駆動方法であって、モータは、第１のセンサ部分が第１の表示パネルの近接を検出する間はローラを回転させ続ける、電子機器の駆動方法である。
【００１８】
また、本発明の一態様は、上記の電子機器の駆動方法であって、モータは、少なくとも第１のセンサ部分または第２のセンサ部分のいずれか一方が第１の表示パネルの近接を検出する間はローラを回転させ続ける電子機器の駆動方法である。
【発明の効果】
【００１９】
本発明の一態様によれば、本を読む動作と同様の動作で閲覧が可能な電子機器を提供できる。または、本発明の一態様によれば、新規な電子機器を提供できる。
【００２０】
なお、これらの効果の記載は、他の効果の存在を妨げるものではない。なお、本発明の一態様は、必ずしも、これらの効果の全てを有する必要はない。なお、これら以外の効果は、明細書、図面、請求項などの記載から、自ずと明らかとなるものであり、明細書、図面、請求項などの記載から、これら以外の効果を抽出することが可能である。
【図面の簡単な説明】
【００２１】
【図１】実施の形態に係る電子機器の構成を説明する図。
【図２】実施の形態に係る電子機器の構成を説明する図。
【図３】実施の形態に係る電子機器の駆動方法を説明する図。
【図４】実施の形態に係る電子機器の駆動方法を説明する図。
【図５】実施の形態に係る電子機器の構成を説明する図。
【図６】実施の形態に係る電子機器の構成を説明する図。
【発明を実施するための形態】
【００２２】
実施の形態について、図面を用いて詳細に説明する。但し、本発明は以下の説明に限定されず、本発明の趣旨及びその範囲から逸脱することなくその形態及び詳細を様々に変更し得ることは当業者であれば容易に理解される。従って、本発明は以下に示す実施の形態の記載内容に限定して解釈されるものではない。なお、以下に説明する発明の構成において、同一部分又は同様な機能を有する部分には同一の符号を異なる図面間で共通して用い、その繰り返しの説明は省略する。
【００２３】
（実施の形態１）
本発明の一態様の電子機器は、複数の表示パネルを備える。具体的には、ｎ個の表示パネルを備える（ｎは４以上の自然数）。該複数の表示パネルは可撓性を有し、両面表示が可能である。また、回転可能な軸を備え、該複数の表示パネルはそれぞれが該軸に接続される。
【００２４】
本発明の一態様の電子機器は、本の見開きのように２つの表示パネルを軸に線対称に配置できる。また、２つの表示パネルの下側に、それぞれ１つ以上の表示パネルを配置できる。
【００２５】
よって、一の表示パネルをめくると他の一の表示パネルが視認できるため、本発明の一態様の電子機器は本を読む動作と同様の動作で閲覧が可能である。
【００２６】
以下より、ｎ＝４である本発明の一態様の電子機器について、図１乃至図４を用いて説明する。
【００２７】
なお、本明細書において「第１の」「第２の」等の序数が付いた要素は互いに入れ換えが可能である。
【００２８】
＜電子機器の構成＞
図１（Ａ）に、本発明の一態様の電子機器１００の斜視図を示す。図１（Ｂ）は、図１（Ａ）に示す一点鎖線Ａ１−Ａ２に対応する断面図である。
【００２９】
電子機器１００は、４つの表示パネル（表示パネル１０１、表示パネル１０２、表示パネル１０３および表示パネル１０４を指す。以下、「各表示パネル」とも表記する）と、軸１１１と、筐体１１２と、ローラ１２１と、モータ１２２と、を有する（図１（Ａ）、（Ｂ）、図２（Ａ）参照）。図２（Ａ）は電子機器１００の背面斜視図であり、図２（Ａ）において筐体１１２はその外形の輪郭のみを破線および点線で示している。筐体１１２の外表面に対応する輪郭を破線で示し、筐体１１２の内表面に対応する輪郭を点線で示している。
【００３０】
各表示パネルは、可撓性を有する。
【００３１】
各表示パネルは、両面表示が可能である。すなわち、各表示パネルは第１の面、および第１の面と対向する第２の面を有し、第１の表示部は第１の面に設けられ、第２の表示部は第２の面に設けられる。具体的には、表示パネル１０１は第１の面に第１の表示部１０１ａを有し、第２の面に第２の表示部１０１ｂを有する。表示パネル１０２は第１の面に第１の表示部１０２ａを有し、第２の面に第２の表示部１０２ｂを有する。表示パネル１０３は第１の面に第１の表示部１０３ａを有し、第２の面に第２の表示部１０３ｂを有する。表示パネル１０４は第１の面に第１の表示部１０４ａを有し、第２の面に第２の表示部１０４ｂを有する（図１（Ａ）、図２（Ａ）参照）。
【００３２】
各表示パネルが有する第１の表示部および第２の表示部は、表示素子を備える複数の画素を有する。表示素子としては、有機ＥＬ素子、液晶素子、電気泳動素子などを用いることができる。よって、電子機器１００は表示装置ということもできる。なお、各表示パネルが有する表示素子が、それぞれ同じであってもよいし、異なっていてもよい。また、任意の一の表示パネルにおいて、第１の表示部および第２の表示部が、同じ表示素子を有していてもよく、異なる表示素子を有していてもよい。
【００３３】
なお、上記の各表示部に、インセル方式のタッチセンサが組み込まれていてもよい。また、各表示パネルの第１の面および第２の面の少なくとも一方に、タッチパネルを設けてもよい。該タッチパネルは、可撓性を有する。
【００３４】
軸１１１は、各表示パネルの表示を制御するための動作回路（図示しない）を有する。各表示パネルはそれぞれが動作回路と電気的に接続される。例えば、各表示パネルが有するＦＰＣ（Ｆｌｅｘｉｂｌｅ  Ｐｒｉｎｔｅｄ  Ｃｉｒｃｕｉｔｓ）を介して動作回路と接続される。この場合、ＦＰＣは軸１１１の内部に収納されることが好ましい。また、軸１１１の内部には動作回路と電気的に接続されるバッテリ（図示しない）が設けられる。
【００３５】
なお、バッテリが筐体１１２の内部（例えば筐体１１２の底面上）に設けられていてもよい。バッテリが筐体１１２の底面上に設けられる構成については実施の形態２で説明する。
【００３６】
動作回路は、各表示パネルの電源オンオフおよび表示内容を個別に制御することができる。また動作回路は、任意の一の表示パネルの第１の表示部と第２の表示部の表示／非表示をそれぞれ独立して制御することができる。例えば、第１の表示部１０１ａおよび第１の表示部１０２ａに画像を表示させ、これら以外の表示部を非表示とすることができる。
【００３７】
各表示パネルはそれぞれが軸１１１と固定される。例えば、図１（Ｂ）の断面視において各表示パネルが軸１１１に対して放射状に突出するように、各表示パネルが軸１１１と固定される。また、軸１１１は筐体１１２に回転可能に固定できる。例えば、軸１１１は筐体１１２に対して回転可能に固定できる回転軸１３１を有する（図２（Ａ）参照）。これらの構成とすることで、使用者が一の表示パネルの一部を把持して軸をまたいで反対側へ送る動作、すなわちページめくり動作を隣接する複数の表示パネルに対して連続して行うことができる。
【００３８】
なお、各表示パネルにおいて、表示部と軸１１１に挟まれた額縁領域が、表示パネルの他の領域よりも可撓性が高いことが好ましい。該額縁領域の可撓性が高いことで、見開きの状態（軸１１１の左右に閲覧する２つの表示パネルを配置する状態）における表示パネルの閲覧性を高めることができる。
【００３９】
表示パネルが軸１１１に固定される具体的な構成について、図１（Ｃ）を用いて説明する。図１（Ｃ）は図１（Ｂ）において破線で囲った領域１４０を拡大した断面図である。図１（Ｃ）では、明瞭化のため軸１１１のハッチングを省略している。
【００４０】
各表示パネルのうち、任意の一の表示パネル（例えば、表示パネル１０１）が軸１１１から突出する部分１０１Ａと軸１１１の中心１１１Ｃとを結んだ直線をＬ１とする。また、一の表示パネルに最も近い他の表示パネル（例えば、表示パネル１０２）が前記軸１１１から突出する部分１０２Ａと前記軸の中心１１１Ｃとを結んだ直線をＬ２とする。このとき、Ｌ１およびＬ２のなす角αが（３６０／ｎ）°となるように各表示パネルは軸１１１に固定されることが好ましい。本実施の形態ではｎ＝４であるため、α＝９０°であることが好ましい。なお、実際においては、角αは一定の誤差を含む。例えば、角αは（（３６０／ｎ）−５）°以上（（３６０／ｎ）＋５）°以下とする。本実施の形態では角αは、８５°以上９５°以下である。
【００４１】
ところで、回転軸１３１が筐体１１２に対して着脱可能であってもよい。この場合、軸１１１および各表示パネルを筐体１１２から取り外して使用可能であってもよい。すなわち、軸１１１および各表示パネルも、本発明の一態様の電子機器である。
【００４２】
ローラ１２１は、筐体１１２の内部の各表示パネルより下側に設けられる（図１（Ｂ）、図２（Ａ）参照）。ローラ１２１は回転軸１３２を介してモータ１２２と接続される。モータ１２２が駆動することでモータ１２２はローラ１２１を回転させることができる。なお、図１（Ｂ）および図２（Ａ）ではローラ１２１が軸１１１と重なる位置に設けられる例を示しているが、ローラ１２１を軸１１１と重ならない位置に設けてもよい。また、図２（Ａ）ではローラ１２１が２つ設けられる例を示しているが、ローラ１２１は１つでもよく、３つ以上あってもよい。例えば、表示パネル１０１と重なる位置、および表示パネル１０２と重なる位置のそれぞれに、一または複数のローラ１２１を設けてもよい。
【００４３】
ローラ１２１が各表示パネルのうち任意の一の表示パネルと接触している状態でローラ１２１が回転することで、該一の表示パネルを軸１１１に対して反対側へ移動させることができる。よって、電子機器１００がローラ１２１を有することで、上記のページめくり動作を電子機器１００が有する表示パネルの数に限定されずに、同じ方向に何度でも行うことができる。
【００４４】
例えば、使用者が一の表示パネルのページめくりが完了した時点で、または完了する前にローラ１２１を回転させることで、軸１１１の左右両側に表示パネルが２つずつ位置する状態を維持することができる。よって、一の表示パネルをめくると他の一の表示パネルが視認できるため、電子機器１００は本を読む動作と同様の動作で閲覧が可能である。
【００４５】
ローラ１２１を回転させるタイミングは使用者が判断して決めてもよい。例えば、モータ１２２の駆動を制御するスイッチまたはボタンを、筐体１１２の外面に設ければよい。また、ページめくり動作の進行に合わせてローラ１２１が回転する構成としてもよい。この場合、電子機器１００をさらに本を読む感覚で使用することができる。
【００４６】
図２（Ｂ）に、近接センサ１２５を有する本発明の一態様の電子機器１００Ａの背面斜視図を示す。電子機器１００Ａは主に近接センサ１２５を有する点が電子機器１００と異なる。近接センサ１２５は、例えば軸１１１と少なくとも一部が重なる位置に設けられる。
【００４７】
近接センサ１２５は、物体の近接を検出する機能を有する。近接センサ１２５が用いることのできる検出媒体としては、直流磁界、交流磁界、電界、電磁波、光、超音波などが挙げられる。
【００４８】
近接センサ１２５のセンサ部分（図示しない）は、任意の一の表示パネルがローラ１２１に接触した際に、該一の表示パネルの近接または接触を検出できるように検出感度を設定し、筐体１１２内に位置を定めることが好ましい。図２（Ｂ）では該センサ部分を、ローラ１２１の図のＹ方向の頂部を通りかつ軸１１１の延伸方向に延びる直線と重なる位置に設ける例を示している。
【００４９】
近接センサ１２５はモータ１２２と電気的に接続される。このような構成とすることで、近接センサ１２５による表示パネルの近接または接触の検出信号を、モータ１２２の駆動のトリガーとすることができる。なお、近接センサ１２５が、該検出信号をモータ１２２の駆動を制御する信号に変換する回路を備えていてもよい。
【００５０】
図２（Ｂ）ではローラ１２１および近接センサ１２５が軸１１１と重なる位置に設けられ、モータ１２２と近接センサ１２５が重ならない位置に設けられる例を示している。モータ１２２は、ローラ１２１が有する回転軸１３２とは異なる回転軸１３３を有する。電子機器１００Ａは、回転軸１３３の回転を回転軸１３２に伝えるプーリ１２３を有する。なお、プーリ１２３のかわりに、回転軸１３２および回転軸１３３にギヤが設けられ、それぞれのギヤが互いにかみ合う構成としてもよい。また、図２（Ａ）においてモータ１２２上に近接センサ１２５を設ける構成としてもよい。
【００５１】
＜電子機器の駆動方法１＞
ここで、ページめくり動作における電子機器１００Ａの駆動方法について、図３を用いて説明する。図３（Ａ）乃至（Ｄ）は、電子機器１００Ａの一部の要素のみを描出した断面模式図であり、１枚のページをめくる、例えば表示パネル１０２を軸１１１より上側で軸１１１と反対側に移動させるまでの電子機器１００Ａの各状態を示している。
【００５２】
なお、図３（Ａ）乃至（Ｄ）ではセンサ部分１２５ａが近接センサ１２５上に設けられる構成を示すが、センサ部分１２５ａが近接センサ１２５に含まれていてもよい。センサ部分１２５ａは、例えば、軸１１１の延伸方向と直交する面による断面視において、軸１１１の中心１１１Ｃおよびローラ１２１の頂部１２１Ｔと一直線上に並ぶように設ける（図３（Ａ）参照）。
【００５３】
（第１の状態）
軸１１１の左側では表示パネル１０４上に表示パネル１０１が位置し、軸１１１の右側では表示パネル１０３上に表示パネル１０２が位置する（図３（Ａ）参照）。
【００５４】
第１の状態において、使用者は表示部１０１ａおよび表示部１０２ａに画像を表示させて閲覧できる。このとき、表示パネル１０３および表示パネル１０４は電源をオフにすることができる。また、表示部１０１ｂおよび表示部１０２ｂを非表示とすることができる。使用者が電子機器１００Ａの閲覧に使用する以外の表示部を非表示とすることで、電子機器１００Ａの消費電力を下げることができる。
【００５５】
（第２の状態）
図３（Ｂ）は第１の状態を開始状態として使用者がページ（表示パネル１０２）をめくっている途中の状態、すなわち、使用者が表示パネル１０２の一部を把持し、軸１１１より上側で軸１１１と反対側に移動させる途中の状態を示す図である。使用者が表示パネル１０２を図の矢印１３６の方向に引っ張ることで、軸１１１は図の破線矢印の向きに回転する。各表示パネルは軸１１１の特定の部分から突出しているため、該回転に伴って移動する。
【００５６】
第１の状態からある角度以上に軸１１１が回転すると、表示パネル１０４がローラ１２１と接触する。ローラ１２１が表示パネル１０４に接触する直前または直後にモータ１２２（図示しない）が駆動し、ローラ１２１が回転を始めることが好ましい。図３（Ｂ）では、表示パネル１０４が近接センサ１２５のセンサ部分１２５ａの検出可能領域に達する直前の状態であり、図３（Ｂ）に示す状態からさらに軸１１１が回転すると、モータ１２２が駆動してローラ１２１が回転を開始する。
【００５７】
第２の状態において、使用者は表示部１０１ａ、表示部１０２ａ、表示部１０２ｂ、表示部１０３ａに画像を表示させて閲覧できる。このとき、表示パネル１０４は電源をオフにすることができる。また、表示部１０１ｂおよび表示部１０３ｂを非表示とすることができる。
【００５８】
第１の状態と第２の状態の間で表示部１０２ｂ、表示部１０３ａに画像を表示させるタイミングは使用者が判断して決めてもよい。例えば、各表示パネルの電源および／または各表示パネルの表示部の表示／非表示の切り替えを制御するスイッチまたはボタンを、筐体１１２の外面に設ければよい。また、ページめくり動作の進行に合わせて表示部１０２ｂ、表示部１０３ａに画像を表示させる構成としてもよい。この場合、電子機器１００をさらに本を読む感覚で使用することができる。
【００５９】
例えば、各表示パネルの一部（表示パネルの端部など）にタッチセンサを設け、使用者がページをめくるために一の表示パネル（図３（Ｂ）では表示パネル１０２）を把持する動作を検出した時点で表示部１０２ｂおよび表示部１０３ａに画像を表示させる構成とすることができる。また、各表示パネルがタッチセンサを有する、または各表示パネルの両面にタッチパネルが設けられている場合は、該タッチパネルの一部の領域のタッチ検出を表示部１０２ｂおよび表示部１０３ａに画像を表示させるトリガーとして用いてもよい。
【００６０】
（第３の状態）
図３（Ｃ）はローラ１２１が実線矢印の向きに回転して表示パネル１０４を軸１１１より下側で軸１１１と反対側（右側）に移動させている途中の状態を示す図である。また、図３（Ｄ）は使用者がページ（表示パネル１０２）をめくり終わった状態である。
【００６１】
第３の状態において、使用者は表示部１０２ｂおよび表示部１０３ａに画像を表示させて閲覧できる。このとき、表示パネル１０１および表示パネル１０４は電源をオフにすることができる。また、表示部１０２ａおよび表示部１０３ｂを非表示とすることができる。
【００６２】
第２の状態と第３の状態の間で表示部１０１ａおよび表示部１０２ａの表示をオフにするタイミングは使用者が判断して決めてもよく、また上記と同様にタッチパネルまたはタッチセンサのタッチ検出と該表示のオフを連動させてもよい。例えば、上述のように使用者がページ（表示パネル１０２）を把持することでタッチが検出されて表示部１０２ｂおよび表示部１０３ａに画像が表示された状態（第２の状態）に続いて、ページをめくり終わって使用者が表示パネル１０２から手を離すことでタッチが検出されなくなった時点で表示部１０１ａおよび表示部１０２ａの表示をオフにすればよい。
【００６３】
（第４の状態）
図３（Ｄ）は表示パネル１０４がローラ１２１の回転によって軸１１１の右側に移動し終えた状態を示す図である。第４の状態において、軸１１１の左側では表示パネル１０１上に表示パネル１０２が位置し、軸１１１の右側では表示パネル１０４上に表示パネル１０３が位置する。よって、第１の状態と同様に軸１１１の左右両側に表示パネルが２つずつ位置する状態であるため、引き続いて次のページ（表示パネル１０３）をめくる動作が可能となる。
【００６４】
第４の状態においては、ローラ１２１は回転を停止している。第３の状態と第４の状態の間でローラ１２１が停止するタイミングは適宜設定することができる。例えば、センサ部分１２５ａが一の表示パネル（図３（Ｃ）では表示パネル１０４）の近接を検出しなくなった直後、または検出しなくなってから一定時間経過後にモータ１２２の駆動を停止し、ローラ１２１の回転を停止させることができる。または、センサ部分１２５ａが一の表示パネルの近接を検出している間は、モータ１２２がローラ１２１を回転させ続けるようにすればよい。
【００６５】
なお、図３（Ａ）乃至（Ｄ）では近接センサ１２５が１つのセンサ部分１２５ａを有する例を示したが、近接センサ１２５がセンサ部分を複数有していてもよい。または、本発明の一態様の電子機器に複数の近接センサ１２５が設けられていてもよい。
【００６６】
＜電子機器の駆動方法２＞
以下より、上記と異なる電子機器１００Ｂのページめくり動作における駆動方法について、図４を用いて説明する。図４（Ａ）乃至（Ｃ）は、電子機器１００Ｂの一部の要素のみを描出した断面模式図である。
【００６７】
電子機器１００Ｂは、近接センサ１２５が２つのセンサ部分１２５ｂ、１２５ｃを有する点を除いて電子機器１００Ａと同様である。よって、電子機器１００Ｂのこの点以外の構成については電子機器１００Ａの説明を援用できる。
【００６８】
センサ部分１２５ｂおよびセンサ部分１２５ｃは、図４（Ｂ）に示すようにローラ１２１が任意の一の各表示パネル（図４（Ｂ）では表示パネル１０４）を送る方向に平行な方向（図４（Ｂ）に示すＸ方向）に並べて配置することが好ましい。このような配置とすることで、ページめくり動作が順送り（軸１１１の右側にあるページを左側にめくる）であるか逆送り（軸１１１の左側にあるページを右側にめくる）であるかを判別することができる。
【００６９】
なお、図４（Ａ）乃至（Ｃ）ではセンサ部分１２５ｂ、１２５ｃが近接センサ１２５上に設けられる構成を示すが、センサ部分１２５ｂ、１２５ｃが近接センサ１２５に含まれていてもよい。
【００７０】
（第５の状態）
軸１１１の左側では表示パネル１０４上に表示パネル１０１が位置し、軸１１１の右側では表示パネル１０３上に表示パネル１０２が位置する（図４（Ａ）参照）。
【００７１】
第５の状態において、使用者は表示部１０１ａおよび表示部１０２ａに画像を表示させて閲覧できる。このとき、表示パネル１０３および表示パネル１０４は電源をオフにすることができる。また、表示部１０１ｂおよび表示部１０２ｂを非表示とすることができる。
【００７２】
（第６の状態）
図４（Ｂ）は第５の状態を開始状態として、使用者が順送り方向にページ（表示パネル１０２）をめくっている途中の状態を示す図である。使用者が表示パネル１０２を図の矢印１３７の方向に引っ張ることで、軸１１１は図の破線矢印の向きに回転する。
【００７３】
軸１１１の回転に伴って表示パネル１０４は移動するが、センサ部分１２５ｂ、１２５ｃ、表示パネル１０４の位置関係より、表示パネル１０４はセンサ部分１２５ｂよりも先にセンサ部分１２５ｃに近づく（図４（Ｂ）参照）。
【００７４】
センサ部分１２５ｂおよびセンサ部分１２５ｃの検出感度を同程度に設定することで、第６の状態においてセンサ部分１２５ｃが先に表示パネル１０４の近接または接触を検出することができる。よって、センサ部分１２５ｂより先にセンサ部分１２５ｃが近接または接触を検出した場合に図４（Ｂ）の実線矢印の向きにローラ１２１を回転させることで、表示パネル１０４を、表示パネル１０２をめくる向きと反対側（軸１１１に対して右側）に送ることができる。
【００７５】
なお、第６の状態からローラ１２１が停止するタイミングは適宜設定することができる。例えば、センサ部分１２５ｂが一の表示パネル（図４（Ｂ）では表示パネル１０４）の近接を検出しなくなった直後、または検出しなくなってから一定時間経過後にモータ１２２の駆動を停止し、ローラ１２１の回転を停止させることができる。
【００７６】
第６の状態において、使用者は表示部１０１ａ、表示部１０２ａ、表示部１０２ｂ、表示部１０３ａに画像を表示させて閲覧できる。このとき、表示パネル１０４は電源をオフにすることができる。また、表示部１０１ｂおよび表示部１０３ｂを非表示とすることができる。
【００７７】
（第７の状態）
図４（Ｃ）は第５の状態を開始状態として、使用者が逆送り方向にページ（表示パネル１０１）をめくっている途中の状態を示す図である。使用者が表示パネル１０１を図の矢印１３８の方向に引っ張ることで、軸１１１は図の破線矢印の向きに回転する。
【００７８】
軸１１１の回転に伴って表示パネル１０３は移動するが、センサ部分１２５ｂ、１２５ｃ、表示パネル１０３の位置関係より、表示パネル１０３はセンサ部分１２５ｃよりも先にセンサ部分１２５ｂに近づく（図４（Ｃ）参照）。
【００７９】
センサ部分１２５ｂおよびセンサ部分１２５ｃの検出感度を同程度に設定することで、第７の状態においてセンサ部分１２５ｂが先に表示パネル１０３の近接または接触を検出することができる。よって、センサ部分１２５ｃより先にセンサ部分１２５ｂが近接または接触を検出した場合に図４（Ｃ）の実線矢印の向きにローラ１２１を回転させることで、表示パネル１０３を、表示パネル１０１をめくる向きと反対側（軸１１１に対して左側）に送ることができる。
【００８０】
なお、第７の状態からローラ１２１が停止するタイミングは適宜設定することができる。例えば、センサ部分１２５ｃが一の表示パネル（図４（Ｃ）では表示パネル１０３）の近接を検出しなくなった直後、または検出しなくなってから一定時間経過後にモータ１２２の駆動を停止し、ローラ１２１の回転を停止させることができる。
【００８１】
第７の状態において、使用者は表示部１０４ａ、表示部１０１ａ、表示部１０１ｂ、表示部１０２ａに画像を表示させて閲覧できる。このとき、表示パネル１０３は電源をオフにすることができる。また、表示部１０４ｂおよび表示部１０２ｂを非表示とすることができる。
【００８２】
以上のように、電子機器１００Ｂにおいて、少なくともセンサ部分１２５ｂまたはセンサ部分１２５ｃのいずれか一方が一の表示パネルの近接を検出している間は、モータ１２２がローラ１２１を回転させ続けるようにすることで、順送りおよび逆送りのページめくり動作を何度でも行うことができる。
【００８３】
本実施の形態は、少なくともその一部を本明細書中に記載する他の実施の形態と適宜組み合わせて実施することができる。
【００８４】
（実施の形態２）
本実施の形態では、実施の形態１で説明する電子機器１００とは一部の構成が異なる電子機器１５０について、図５および図６を用いて説明する。なお、電子機器１５０の構成のうち、電子機器１００が有する構成については実施の形態１の説明を援用できる。
【００８５】
＜電子機器の構成＞
図５（Ａ）に、本発明の一態様の電子機器１５０の斜視図を示す。図５（Ｂ）は、図５（Ａ）に示す一点鎖線Ａ３−Ａ４に対応する断面図である。また、図６（Ａ）には図５（Ａ）とは異なる方向から見た電子機器１５０の斜視図を示す。図６（Ａ）において筐体１１２はその外形の輪郭のみを破線および点線で示している。筐体１１２の外表面に対応する輪郭を破線で示し、筐体１１２の内表面に対応する輪郭を点線で示している。
【００８６】
電子機器１５０は、４つの表示パネル（表示パネル１０１、表示パネル１０２、表示パネル１０３および表示パネル１０４）と、軸１１１と、筐体１１２と、ローラ１２１と、モータ１２２（図示しない）と、を有する（図５（Ａ）、（Ｂ）参照）。４つの表示パネル、軸１１１、筐体１１２、ローラ１２１およびモータ１２２については、実施の形態１の説明を参照できる。
【００８７】
また、電子機器１５０はバッテリ１４１、制御回路１４２、スリップリング１４５、板１４９を有する（図５（Ｂ）、図６（Ａ）参照）。
【００８８】
バッテリ１４１は筐体１１２の内部（例えば筐体１１２の底面上）に設けられ、軸１１１に電力を供給する機能を有する。バッテリ１４１は、ケーブル１４６およびスリップリング１４５を介して軸１１１と電気的に接続される。なお、バッテリ１４１が筐体１１２の底面から取り出せる構成とすることで、電子機器１５０の使用時間に応じてバッテリ１４１を交換することができる。また、バッテリ１４１は制御回路１４２と電気的に接続されていてもよい。
【００８９】
制御回路１４２は筐体１１２の内部（例えば筐体１１２の底面上）に設けられ、軸１１１が有する動作回路（図示しない）の動作を補助する機能を有する。例えば、制御回路１４２は４つの表示パネルの表示を制御する機能を有する。また、制御回路１４２は電子データを保持する記憶装置（例えば、ＳＳＤ（Ｓｏｌｉｄ  Ｓｔａｔｅ  Ｄｒｉｖｅ）、ＨＤＤ（Ｈａｒｄ  Ｄｉｓｃ  Ｄｒｉｖｅ）、フラッシュメモリなど）を有する。また、制御回路１４２は軸１１１と無線通信を行うための送信器または／および受信器を有する。軸１１１は、制御回路１４２と無線通信を行うための受信器または／および送信器を有する。なお、制御回路１４２がバッテリを有していてもよい。また、制御回路１４２がケーブル１４６およびスリップリング１４５を介して軸１１１と電気的に接続されていてもよい。
【００９０】
スリップリング１４５は、リング部１４５ａおよびブラシ部１４５ｂを含む。図６（Ｂ）に、スリップリング１４５における配線等の接続を説明するための上面模式図の一例を示す。図６（Ｂ）にはスリップリング１４５のほかに、軸１１１、回転軸１３１およびケーブル１４６の一部を示している。
【００９１】
リング部１４５ａでは、軸１１１が有する配線１１１Ｌと電気的に接続されたリング状の配線１４５ａＬが回転側面において露出している。リング部１４５ａは軸１１１に固定されており、軸１１１が回転するとリング部１４５ａも回転する。また、ブラシ部１４５ｂでは、ケーブル１４６の内部を通る配線１４６Ｌがブラシ状の導電体１４５ｂＬと電気的に接続される。導電体１４５ｂＬは配線１４５ａＬと固定されずに接触しているため、電子機器１５０の使用においてリング部１４５ａが回転しても電気的な接続を維持することができる。図６（Ｂ）では軸１１１およびリング部１４５ａが回転する中心軸（回転軸１３１の中心軸）を一点鎖線で示し、ブラシ部１４５ｂの一部を覆うケースを点線で示す。
【００９２】
なお、図６（Ｂ）では電子機器１５０が配線１１１Ｌ、配線１４５ａＬ、導電体１４５ｂＬおよび配線１４６Ｌをそれぞれ２つずつ有する例を示したが、これらをそれぞれ３つ以上有していてもよい。
【００９３】
板１４９は、バッテリ１４１と４つの表示パネルの間、および制御回路１４２と４つの表示パネルの間に設けられる（図６（Ａ）参照）。電子機器１５０が板１４９を有することで、４つの表示パネルがバッテリ１４１および制御回路１４２と接触することを防止できる。
【００９４】
本実施の形態は、少なくともその一部を本明細書中に記載する他の実施の形態と適宜組み合わせて実施することができる。
【符号の説明】
【００９５】
１００    電子機器
１００Ａ    電子機器
１００Ｂ    電子機器
１０１    表示パネル
１０１ａ    表示部
１０１Ａ    部分
１０１ｂ    表示部
１０２    表示パネル
１０２ａ    表示部
１０２Ａ    部分
１０２ｂ    表示部
１０３    表示パネル
１０３ａ    表示部
１０３ｂ    表示部
１０４    表示パネル
１０４ａ    表示部
１０４ｂ    表示部
１１１    軸
１１１Ｃ    中心
１１１Ｌ    配線
１１２    筐体
１２１    ローラ
１２１Ｔ    頂部
１２２    モータ
１２３    プーリ
１２５    近接センサ
１２５ａ    センサ部分
１２５ｂ    センサ部分
１２５ｃ    センサ部分
１３１    回転軸
１３２    回転軸
１３３    回転軸
１３６    矢印
１３７    矢印
１３８    矢印
１４０    領域
１４１    バッテリ
１４２    制御回路
１４５    スリップリング
１４５ａ    リング部
１４５ａＬ    配線
１４５ｂ    ブラシ部
１４５ｂＬ    導電体
１４６    ケーブル
１４６Ｌ    配線
１４９    板
１５０    電子機器
【図１】
2017223946.tif 000003
【図２】
2017223946.tif 000004
【図３】
2017223946.tif 000005
【図４】
2017223946.tif 000006
【図５】
2017223946.tif 000007
【図６】
2017223946.tif 000008